(57)【要約】【課題】取り出す際の容器本体の姿勢にかかわらず、所定数量の粒状物のみを取り出すことができる粒状物収納容器を提供する。【解決手段】本発明の粒状物収納容器において、容器本体１は、一端側において収納空間Ｓよりも下方に位置するとともに収納空間Ｓからの粒状物Ｒを一列状態で収納可能な取り出し空間Ｔを備え、蓋体２１は、天壁２２から取り出し空間Ｔに向けて突出し、取り出し空間Ｔの上方においては、取り出し空間Ｔに収納した粒状物Ｒとの間に粒状物Ｒの厚みよりも小さくなる隙間を有し、蓋体２１を他端側に向けてスライドさせた状態においては、底壁２との間に粒状物Ｒの厚みよりも小さくなる隙間を有するか底壁２と当接する突出壁２６を備える。【選択図】図１
2019011073.tif 000002
【特許請求の範囲】
【請求項１】
底壁を有する容器本体と、該底壁との間で粒状物の収納空間を区画する天壁を有するとともに、該容器本体の一端側から他端側に向かう向きに沿ってスライド可能に該容器本体に装着される蓋体とを備える粒状物収納容器であって、
前記容器本体は、一端側において前記収納空間よりも下方に位置するとともに該収納空間からの前記粒状物を一列状態で収納可能な取り出し空間を備え、
前記蓋体は、前記天壁から前記取り出し空間に向けて突出し、該取り出し空間の上方においては、該取り出し空間に収納した前記粒状物との間に該粒状物の厚みよりも小さくなる隙間を有し、該蓋体を他端側に向けてスライドさせた状態においては、前記底壁との間に該粒状物の厚みよりも小さくなる隙間を有するか該底壁と当接する突出壁を備える粒状物収納容器。
【請求項２】
前記底壁は、一端側において、前記蓋体を他端側に向けてスライドさせた際に前記突出壁によって他端側に移動する前記粒状物を受け入れる仮置き凹部を有する請求項１に記載の粒状物収納容器。
【請求項３】
前記仮置き凹部は、一端側の幅が他端側よりも広くなる請求項２に記載の粒状物収納容器。
【請求項４】
前記取り出し空間には、一列状態の前記粒状物を個別に収納する下部仕切り壁が設けられ、前記天壁は、該下部仕切り壁に向けて突出する上部仕切り壁を有する請求項１〜３の何れか一項に記載の粒状物収納容器。
【発明の詳細な説明】
【技術分野】
【０００１】
本発明は、粒状物を収納する粒状物収納容器に関する。
【背景技術】
【０００２】
従来、例えば球形状や偏平形状をなす菓子や薬剤等の粒状物を収納する容器としては、収納凹部の側方に計量凹部を設けた容器体と、計量凹部の内周上端部に開閉可能に嵌合する基板と、収納凹部を覆うとともに基板を固着させたシート材とを備え、計量凹部内に移動させた粒状物を、基板を開くことで取り出せるようにした、粒状物収納容器が知られている（例えば特許文献１参照）。
【先行技術文献】
【特許文献】
【０００３】
【特許文献１】特開２００４−１８０７２６号公報
【発明の概要】
【発明が解決しようとする課題】
【０００４】
特許文献１の容器は、計量凹部が下方に位置する向きで容器を傾倒させて収納凹部の粒状物を計量凹部に移動させ、次いで基板を開いて容器を反転させることで、計量凹部の粒状物が取り出されるように構成されている。すなわち、計量凹部に収納可能な数量でもって粒状物を取り出すことができる。しかし、容器の姿勢によっては、計量凹部の粒状物が取り出された後、この粒状物に続いて収納凹部の他の粒状物も容器の外に出てしまうおそれがある。
【０００５】
本発明は、このような問題点を解決することを課題とするものであり、取り出す際の容器本体の姿勢にかかわらず、所定数量の粒状物のみを取り出すことができる粒状物収納容器を提供することを目的とする。
【課題を解決するための手段】
【０００６】
本発明は、底壁を有する容器本体と、該底壁との間で粒状物の収納空間を区画する天壁を有するとともに、該容器本体の一端側から他端側に向かう向きに沿ってスライド可能に該容器本体に装着される蓋体とを備える粒状物収納容器であって、
前記容器本体は、一端側において前記収納空間よりも下方に位置するとともに該収納空間からの前記粒状物を一列状態で収納可能な取り出し空間を備え、
前記蓋体は、前記天壁から前記取り出し空間に向けて突出し、該取り出し空間の上方においては、該取り出し空間に収納した前記粒状物との間に該粒状物の厚みよりも小さくなる隙間を有し、該蓋体を他端側に向けてスライドさせた状態においては、前記底壁との間に該粒状物の厚みよりも小さくなる隙間を有するか該底壁と当接する突出壁を備える粒状物収納容器である。
【０００７】
前記底壁は、一端側において、前記蓋体を他端側に向けてスライドさせた際に前記突出壁によって他端側に移動する前記粒状物を受け入れる仮置き凹部を有することが好ましい。
【０００８】
前記仮置き凹部は、一端側の幅が他端側よりも広くなることが好ましい。
【０００９】
前記取り出し空間には、一列状態の前記粒状物を個別に収納する下部仕切り壁が設けられ、前記天壁は、該下部仕切り壁に向けて突出する上部仕切り壁を有することが好ましい。
【発明の効果】
【００１０】
上述した構成になる本発明の粒状物収納容器によれば、一端側が下方に位置するように容器本体を傾けると、収納空間の粒状物を取り出し空間に移動させることができる。そして蓋体を他端側に向けてスライドさせると、取り出し空間に収納した粒状物との間に粒状物の厚みよりも小さくなる隙間を有する突出壁によって、取り出し空間に収納した一列状態の粒状物以外の粒状物は収納空間に戻されることになる。また突出壁は、蓋体を他端側に向けてスライドさせた状態においては、底壁との間に粒状物の厚みよりも小さくなる隙間を有するか、底壁と当接するものであるので、この状態において収納空間の粒状物が取り出し空間に移動することがない。すなわち、容器本体の姿勢にかかわらず、取り出し空間に収納した所定数量の粒状物のみを取り出すことができる。
【００１１】
なお、取り出し空間に収納される一列状態の粒状物とは、この空間に収納される粒状物が複数であって、且つこれらの粒状物が一列に並んだ状態の他、取り出し空間に収納される粒状物が１つである場合も含む。
【００１２】
また底壁に、上述した仮置き凹部を設ける場合は、次に取り出す予定の粒状物を取り出し空間の近傍に仮置きすることができるため、粒状物を取り出した後、蓋体を一端側にスライドさせて再び容器本体を傾ければ、仮置きした粒状物を取り出し空間にスムーズに移動させることができる。すなわち、粒状物を取り出し空間に移動させるために行う、容器本体を振り出す等の動作が少なくて済む。
【００１３】
仮置き凹部の一端側の幅が他端側よりも広い場合は、蓋体を他端側に向けてスライドさせた際に、突出壁によって移動する粒状物をより確実に仮置き凹部に収めることができる。
【００１４】
凹状部に、一列状態の粒状物を個別に収納する下部仕切り壁を設ける場合は、取り出される粒状物をより確実に整列させることができる。また天壁に、下部仕切り壁に向けて突出する上部仕切り壁を設ける場合は、収納空間から取り出し空間に向けて粒状物を移動させる際に上部仕切り壁がガイドとして機能するため、下部仕切り壁によって個別に区画される取り出し空間に対して粒状物をスムーズに移動させることができる。また蓋体を他端側にスライドさせた状態にあっては、次に取り出される粒状物が上部仕切り壁によって整列した状態になるため、粒状物をより確実に取り出し空間に移動させることができる。
【図面の簡単な説明】
【００１５】
【図１】本発明に従う粒状物収納容器の一実施形態につき、（ａ）は平面図（蓋体は破線で示す）であって、（ｂ）は（ａ）に示すＡ−Ａに沿う断面図である。
【図２】図１に示す容器本体につき、（ａ）は平面図であり、（ｂ）は（ａ）に示すＢ−Ｂに沿う断面図である。
【図３】図１に示す蓋体につき、（ａ）は平面図であり、（ｂ）は（ａ）に示すＣ−Ｃに沿う断面図である。
【図４】図１に示す粒状物収納容器につき、（ａ）は蓋体を他端部にスライドさせた状態での平面図（蓋体は破線で示す）であり、（ｂ）は（ａ）に示すＤ−Ｄに沿う断面図である。
【図５】図２に示す容器本体の変形例を示す、（ａ）は平面図であり、（ｂ）は（ａ）に示すＥ−Ｅに沿う断面図である。
【図６】図５に示す容器本体に対して図３に示す蓋体を装着した状態を示す、（ａ）は蓋体を他端側に移動させる途中の状態を示した平面図であって、（ｂ）は（ａ）に示すＦ−Ｆに沿う断面図である。
【発明を実施するための形態】
【００１６】
以下、図面を参照しながら本発明に従う粒状物収納容器の一実施形態について説明する。なお、本明細書等においては、容器本体の底壁に対して蓋体の天壁が位置する側を上方とし、その逆側を下方として説明する。また、容器本体の一端側とは、図１（ａ）においては左側であり、他端側とは同図の右側である。
【００１７】
図１〜図４は、本発明に従う粒状物収納容器の一実施形態を示している。図１に示すように本実施形態の粒状物収納容器は、容器本体１と、蓋体２１とで構成されている。蓋体２１は、図１（ｂ）、図４（ｂ）に示すように、容器本体１に対して一端側から他端側に向かう向きに沿ってスライドするものである。
【００１８】
容器本体１は、図２に示すように底壁２を備えている。本実施形態の底壁２は板状となるものであって、平面視において矩形状をなしている。また、底壁２の一端側には、底壁２から下方に向けて延在する連結壁３が設けられていて、連結壁３の下端部には、水平方向に延在する下壁４が設けられている。そして下壁４の一端側端部には、上方へ向けて延在する一端側周壁５が設けられていて、下壁４の上面には、連結壁３と一端側周壁５との間を、連結壁３と同じ高さでつなぐ下部仕切り壁６が設けられている。本実施形態にあっては、２つの下部仕切り壁６が設けられている。また、底壁２の側方両側には、底壁２、連結壁３、下壁４、及び一端側周壁５と連結する側方周壁７が一対設けられている。また、底壁２の他端側には、底壁２に対して上方及び下方に向けて延在する他端側周壁８が設けられている。
【００１９】
ここで、図１（ａ）、（ｂ）に示すように底壁２、一対の側方周壁７、他端側周壁８、及び後述する蓋体２１の天壁で取り囲まれる空間（以下、収納空間Ｓと称する）には、本実施形態においては平面視において円形状となる偏平形状の粒状物Ｒが収納される。収納空間Ｓは、その高さｈが粒状物Ｒの厚みｔよりも若干大きくなっていて、収納空間Ｓ内において粒状物Ｒが高さ方向に重ならないようにしている。また、連結壁３、下壁４、一端側周壁５、及び一対の側方周壁７によって取り囲まれる空間（以下、取り出し空間Ｔと称する）は、収納空間Ｓに通じていて、収納空間Ｓからの粒状物Ｒを収納することができる。ここで取り出し空間Ｔは、粒状物Ｒが下壁４の幅方向に一列状態で並ぶように形成されている。本実施形態にあっては、３つの粒状物Ｒが一列状態で並ぶサイズとなっている。すなわち、粒状物Ｒの外径Ｄと下壁４の幅Ｗ１の関係は、３×Ｄ≦Ｗ１＜４×Ｄとなっている。また、下部仕切り壁６から側方周壁７に至る幅（又は一の下部仕切り壁６から隣り合う他の下部仕切り壁６に至る幅）Ｗ２に対する関係は、Ｄ≦Ｗ２＜２×Ｄとなっている。
【００２０】
また底壁２の一端側には、下方に向けて凹ませた凹部９（以下、仮置き凹部９と称する）が設けられている。本実施形態の仮置き凹部９は、球面の一部（球冠）となる形態をなすものであり、図１（ａ）に示すように平面視においては円形状をなしている。
【００２１】
そして側方周壁７には、図２（ｂ）に示すように、矩形状になる切り欠き１０が設けられている。ここで、切り欠き１０の一端側の端縁を一端側端縁１１と称し、他端側の端縁を他端側端縁１２と称する。
【００２２】
蓋体２１は、図１（ｂ）に示すように、底壁２の上方に位置する天壁２２を備えている。天壁２２は、図３に示すように板状となるものであって、また平面視において矩形状をなしている。また天壁２２の側方両側には、下方に向けて延在する側方外周壁２３が一対設けられていて、側方外周壁２３の内面には、内側に向けて突出する矩形状のストッパー２４が設けられている。ここでストッパー２４は、図１（ａ）、（ｂ）に示すように蓋体２１を容器本体１に装着した状態にあっては、切り欠き１０の内側において底壁２に係合するものである。また、天壁２２の他端側には、下方に向けて延在する他端側外周壁２５が設けられている。
【００２３】
また蓋体２１の一端側には、下方に向けて突出する突出壁２６が設けられている。ここで突出壁２６は、図１（ｂ）に示すように取り出し空間Ｔの上方においては、取り出し空間Ｔに収納した粒状物Ｒとの間において、粒状物Ｒの厚みｔよりも小さくなる隙間ｓ１を有している。すなわち突出壁２６は、ｓ１＜ｔの関係を満たすように蓋体２１から突出している。また突出壁２６は、図４（ｂ）に示すように蓋体２１を他端側に向けてスライドさせた状態においては、底壁２との間に粒状物Ｒの厚みｔよりも小さくなる隙間ｓ２を有している。なお、この状態において突出壁２６は、底壁２と当接していてもよい。すなわち突出壁２６は、０≦ｓ２＜ｔの関係を満たすように蓋体２１から突出している。
【００２４】
また突出壁２６は、図３（ａ）に示すように、天壁２２の幅方向に長く延在する一方、側方外周壁２３には連結しない長さで形成されている。ここで突出壁２６は、蓋体２１を容器本体１に装着した状態において、図１（ａ）の拡大図に示すように、側方周壁７との間に隙間ｓ３を有する長さで設けられているか、或いは、容器本体１の側方周壁７に当接するものである。なお隙間ｓ３は、粒状物Ｒの外径Ｄよりも小さくなっている。すなわち突出壁２６は、隙間ｓ３と外径Ｄの関係において、０≦ｓ３＜Ｄを満たすものである。
【００２５】
更に蓋体２１の一端側には、下方に向けて突出する上部仕切り壁２７が設けられている。上部仕切り壁２７は、下部仕切り壁６の上方に設けられるものであり、本実施形態にあっては２つ設けられている。また上部仕切り壁２７は、図１（ｂ）に示すように、突出壁２６と同一の突出量になるように設けられている。
【００２６】
このような容器本体１及び蓋体２１によって構成される粒状物収納容器にあっては、蓋体２１を一端側にスライドさせると、図１（ｂ）に示すようにストッパー２４が切り欠き１０の一端側端縁１１に当接して、蓋体２１の一端側へのスライドが停止する。なお、本実施形態にあっては、この位置において、他端側外周壁２５が他端側周壁８に当接し、突出壁２６が一端側周壁５に当接するため、これらによっても、蓋体２１の一端側へのスライドを停止させることができる。そして、一端側が下方に位置するように容器本体１を傾けると、収納空間Ｓの粒状物Ｒは、隣り合う上部仕切り壁２７の間を通って、又は上部仕切り壁２７と容器本体１の側方周壁７の間を通って、下部仕切り壁６によって区画された取り出し空間Ｔに移動する。
【００２７】
なお、一端側が下方に位置するように容器本体１を傾けると、図１に示すように、取り出し空間Ｔに収納される粒状物Ｒに対し、その上方に他の粒状物Ｒが乗り上げることがあるが、図４に示すように蓋体２１を他端側にスライドさせると、突出壁２６によって乗り上げていた他の粒状物Ｒを他端側へ移動させることができる。上述したように突出壁２６は、取り出し空間Ｔに収納した粒状物Ｒとの間においては、粒状物Ｒの厚みｔよりも小さくなる隙間ｓ１を有しているため、他端側へ移動する突出壁２６によって取り出し空間Ｔに収納した粒状物Ｒを擦る等の不具合を生じさせることはなく、乗り上げていた他の粒状物Ｒを確実に他端側に移動させることができる。なお、蓋体２１を他端側にスライドさせた状態にあっては、図４（ｂ）に示すように、ストッパー２４が切り欠き１０の他端側端縁１２に当接するため、蓋体２１を所定の位置で停止させることができる。
【００２８】
そしてこの状態において突出壁２６は、上述したように底壁２との間に粒状物Ｒの厚みｔよりも小さくなる隙間ｓ２を有するか、或いは、底壁２と当接するものであるため、粒状物Ｒが収納空間Ｓから外側に出てしまうことはない。よって、蓋体２１が他端側に移動して上方が開放した取り出し空間Ｔから、所定数（本実施形態では３つ）の粒状物Ｒを取り出すことができる。なお、粒状物Ｒは一列状態で取り出し空間Ｔに並ぶため、粒状物Ｒが取り出し空間Ｔに所定数あるか否かはすぐに判断することができる。更に本実施形態にあっては、取り出し空間Ｔは下部仕切り壁６によって所定数の粒状物Ｒが個別に収納されるように区画されているため、仮に取り出し空間Ｔに収納される粒状物Ｒの数が不足していてもすぐに判別することができる。このため、本実施形態の粒状物収納容器によれば、薬剤のように一回に服用する数が定まっている場合にも好適に使用することができる。
【００２９】
ところで、底壁２の一端側には仮置き凹部９が設けられているため、突出壁２６によって他端側へ移動する粒状物Ｒは、この仮置き凹部９に載置される。本実施形態にあっては、蓋体２１に上部仕切り壁２７を設けていて、他端側へ移動する粒状物Ｒは、上部仕切り壁２７にガイドされつつ仮置き凹部９に向かって移動するため、より確実に仮置き凹部９に載置される。
【００３０】
仮置き凹部９に載置された粒状物Ｒは、取り出し空間Ｔの近傍において仮置きされた状態であるため、取り出し空間Ｔの粒状物Ｒを取り出した後、蓋体２１を一端側にスライドさせて、再び一端側が下方に位置するように容器本体１を傾けることで、仮置き凹部９の粒状物Ｒを取り出し空間Ｔへスムーズに移動させることができる。すなわち、このような仮置き凹部９を設ける場合は、粒状物Ｒを取り出し空間Ｔに移動させるために行う、容器本体１を振り出す等の動作が少なくて済むため、使い勝手が向上する。また本実施形態においては上部仕切り壁２７を設けているため、仮置き凹部９の粒状物Ｒは、上部仕切り壁２７に沿って移動し、下部仕切り壁６によって区画された取り出し空間Ｔへ確実に収納させることができる。
【００３１】
なお仮置き凹部９の形状は、上述したような球面の一部（球冠）となる形態をなすものでもよいが、図５（ａ）に示す仮置き凹部９’のように、一端側の幅が他端側よりも広くなるように設けることが好ましい。このような仮置き凹部９’を備える粒状物収納容器において、図６（ｂ）に示すように取り出し空間Ｔに収納される粒状物Ｒに乗り上げている他の粒状物Ｒは、蓋体２１を他端側に向けてスライドしていくにつれて突出壁２６によって他端側へ移動する際、仮置き凹部９’の一端側の幅が広いため、より確実に仮置き凹部９’に収めることができる。
【００３２】
本発明に従う粒状物収納容器は、これまでに説明した実施形態に限られるものではなく、特許請求の範囲に従う範疇で種々の変更を加えたものも含まれる。例えば、上述した実施形態において下部仕切り壁は２つ設けていたが、その数は、仮置き凹部に収納する粒状物の数に応じて適宜変更するものとする。また収容する粒状物の形態も、上述した形状に限られず、例えば平面視で矩形状になる偏平形状の粒状物であってもよい。
【符号の説明】
【００３３】
１：容器本体
２：底壁
３：連結壁
４：下壁
５：一端側周壁
６：下部仕切り壁
７：側方周壁
８：他端側周壁
９、９'：仮置き凹部
１０：切り欠き
１１：一端側端縁
１２：他端側端縁
２１：蓋体
２２：天壁
２３：側方外周壁
２４：ストッパー
２５：他端側外周壁
２６：突出壁
２７：上部仕切り壁
Ｒ：粒状物
Ｓ：収納空間
Ｔ：取り出し空間
【図１】
2019011073.tif 000003
【図２】
2019011073.tif 000004
【図３】
2019011073.tif 000005
【図４】
2019011073.tif 000006
【図５】
2019011073.tif 000007
【図６】
2019011073.tif 000008